(57)【要約】【課題】  ころ本数をアップでき、定格荷重を増大させることができるころ軸受用保持器を得ることを目的とする。【解決手段】  環状かつ平板状の保持器本体６の円周方向等配部位に、針状のころ４を装着するための複数のポケット７を形成し、各ポケットの周方向で対向する両側面に、ころの抜け止めをする複数のころ止め片８を一体的に形成し、各ポケット７の両側面に振分けられたころ止め片の保持器内径側に位置する部分と内径側以外に位置する部分とで折り曲げ角度を変えて該内径側に位置する部分のころ止め片８の周方向の出張り量を該内径側以外に位置する部分のころ止め片８の周方向の出張り量より小さく設定し、且つ内径側に位置する部分はそれぞれ外径寄りから内径寄りに至るに従い折り曲げ角度を変化させてころ止め片８の周方向の出張り量を次第に小さくするようしたものである。【選択図】        図１
2007071295.tif 000002
【特許請求の範囲】
【請求項１】
軸方向に離隔して配置される軌道面間に、転動自在に配置される複数個のころを、円周方向等配位置に保持するためのスラストころ軸受用保持器であって、
環状かつ平板状の保持器本体の円周方向等配部位に、前記ころを装着するための複数のポケットを形成し、これら各ポケットの周方向で対向する両側面に、前記ころの外周面に接触してころの抜け止めをする複数のころ止め片を一体的に形成し、
これらころ止め片は、前記ころの一方側半周面上および他方側半周面上に接触可能となるように前記各ポケットの両側面に振分けられ、
前記各ポケットの両側面に振分けられたころ止め片の保持器内径側に位置する部分と内径側以外に位置する部分とで折り曲げ角度を変えて該内径側に位置する部分のころ止め片の周方向の張り出し量を該内径側以外に位置する部分のころ止め片の周方向の張り出し量より小さくし、且つ内径側に位置する部分はそれぞれ外径寄りから内径寄りに至るに従い折り曲げ角度を変化させてころ止め片の周方向の張り出し量を次第に小さくするようしたことを特徴とするスラストころ軸受用保持器。
【請求項２】
軸方向に離隔して配置される軌道面間に、転動自在に配置される複数個のころを、円周方向等配位置に保持するためのスラストころ軸受用保持器であって、
環状かつ平板状の二枚の保持器本体を掌合接続し、各保持器本体の円周方向等配部位に、前記ころを装着するための複数のポケットをそれぞれ形成し、これら各ポケットの周方向で対向する両側面にそれぞれ、前記ころの周面に接触してころの抜け止めをするころ止め片を一体的に外方に折り曲げて形成し、
一方の保持器本体の各ポケットの周方向で対向する両側面にそれぞれ形成されたころ止め片と、他方の保持器本体の各ポケットの周方向で対向する両側面にそれぞれ形成されたころ止め片とで前記ころを保持し、
前記各ポケットの両側面にそれぞれ形成されたころ止め片の保持器内径側に位置する部分と内径側以外に位置する部分とで折り曲げ角度を変えて該内径側に位置する部分の周方向の張り出し量を該内径側以外に位置する部分の周方向の張り出し量より小さくし、且つ内径側に位置する部分はそれぞれ外径寄りから内径寄りに至るに従い折り曲げ角度を変化させて周方向の張り出し量を次第に小さくするようにしたことを特徴とするスラストころ軸受用保持器。
【請求項３】
前記ころ止め片の保持器内径側に位置する部分において、保持器内径寄りにいくに従いころ止め片の折り曲げ角度を増大させ、前記ころの端面側外周面に対して非接触部分を形成したことを特徴とする請求項１又は２記載のスラストころ軸受用保持器。
【請求項４】
前記各ポケットの両側面に振分けられたころ止め片はそれぞれ周方向に複数に分割され、内径側に位置する分割ころ止め片の周方向の出っ張り量を内径側以外に位置する分割ころ止め片の周方向の出っ張り量より小さくし、且つ内径側に位置する分割ころ止め片はそれぞれ外径側寄りから内径側寄りに至るに従い周方向の張り出し量を次第に小さくするようしたことを特徴とするころ請求項１又は２記載のスラストころ軸受用保持器。
【請求項５】
前記分割ころ止め片の保持器内径寄り箇所が折り曲げ角度が急激に大きく変化させられ、前記ころの端面側外周面に対して非接触部分となることを特徴とする請求項４記載のスラストころ軸受用保持器。
【請求項６】
前記請求項３又は５の非接触部分は、前記ポケットの周方向全長の５０％以下であることを特徴とするスラストころ軸受用保持器。
【発明の詳細な説明】
【技術分野】
【０００１】
本発明はスラストころ軸受用保持器に係り、特にスラスト針状ころを軸受するころ軸受用保持器で、針状ころが脱落するのを防止するころ止め片の形状に関するものである。
【背景技術】
【０００２】
一般に、スラスト針状ころ軸受は、アキシャル方向で対向する２枚の平板状軌道輪と、これら両軌道輪の中心から放射状に配置されて両軌道輪間に転動自在に配置される複数個の針状ころと、これら針状ころを円周方向等配位置に保持する保持器とを備える。
その保持器は、一枚の金属板から環状に形成されている。また、その板面は、プレス加工により断面略Ｍ字形になるよう折曲されている。
そして、板面の円周方向等配位置に、針状ころを装着するための複数個のポケットが、打抜き加工により形成されている。
【０００３】
このように、断面Ｍ字形部分を打抜いてポケットを形成することで、保持器の柱部に、保持器の厚み方向内外部位で、針状ころを案内するとともにその姿勢を保持する部分が形成されることになる。
そして、保持器に形成したＭ字形部分にポケットを打抜き加工する際に、ころ止めと柱部が同時に形成される。
このように、従来のスラスト針状ころ軸受の保持器では、針状ころを案内保持する部分を設けるために、保持器におけるポケット間の柱部の板面を断面略Ｍ字形に形成している。しかし、長さの短い針状ころを用いる場合は特に、断面略Ｍ字形に形成するような加工は難しくなる。
【０００４】
かかる加工の困難性を解消する対策案として１枚の保持器を利用し、その保持器は、環状かつ平板状の保持器本体の円周方等配部位を開口させて針状ころを装着するための複数のポケットを形成し、これら各ポケットの周方向で対抗する両側面に、針状ころの周面に接触してころの抜け止めをするころ止め片を折り曲げて一体的に形成し、これらころ止め片は、針状ころの一方側半周面及び他方側半周面に接触可能となるようポケットの両側面に振り分けるようにしたスラスト針状ころ軸受がある（例えば、特許文献１参照）。
【特許文献１】特開２００４−８４７９７号公報（第１頁、第１図）
【発明の開示】
【発明が解決しようとする課題】
【０００５】
しかしながら、特許文献１に記載の従来のスラスト針状ころ軸受は、環状かつ平板状の保持器本体の開口した各ポケットの周方向で対抗する両側面を折り曲げてころ止め片を形成するため、ポケット間の柱幅を維持しようとすると、従来の断面Ｍ字形部分を打抜いてポケットを形成するものに比べてころ本数が少なくなってしまい、定格荷重が減少してしまうという問題があった。
【０００６】
本発明はかかる問題点を解決するためになされたもので、ころ本数をアップでき、定格荷重を増大させることができるスラストころ軸受用保持器を得ることを目的とする。
【課題を解決するための手段】
【０００７】
本発明に係るスラストころ軸受用保持器は、軸方向に離隔して配置される軌道面間に、転動自在に配置される複数個のころを、円周方向等配位置に保持するためのスラストころ軸受用保持器であって、環状かつ平板状の保持器本体の円周方向等配部位に、前記ころを装着するための複数のポケットを形成し、これら各ポケットの周方向で対向する両側面に、前記ころの外周面に接触してころの抜け止めをする複数のころ止め片を一体的に形成し、これらころ止め片は、前記ころの一方側半周面上および他方側半周面上に接触可能となるように前記各ポケットの両側面に振分けられ、前記各ポケットの両側面に振分けられたころ止め片の保持器内径側に位置する部分と内径側以外に位置する部分とで折り曲げ角度を変えて該内径側に位置する部分のころ止め片の周方向の張り出し量を該内径側以外に位置する部分のころ止め片の周方向の張り出し量より小さくし、且つ内径側に位置する部分はそれぞれ外径寄りから内径寄りに至るに従い折り曲げ角度を変化させてころ止め片の周方向の張り出し量を次第に小さくするようにしたものである。
【０００８】
本発明に係るもう１つのスラストころ軸受用保持器は、軸方向に離隔して配置される軌道面間に、転動自在に配置される複数個のころを、円周方向等配位置に保持するためのスラストころ軸受用保持器であって、環状かつ平板状の二枚の保持器本体を掌合接続し、各保持器本体の円周方向等配部位に、前記ころを装着するための複数のポケットをそれぞれ形成し、これら各ポケットの周方向で対向する両側面にそれぞれ、前記ころの周面に接触してころの抜け止めをするころ止め片を一体的に外方に折り曲げて形成し、一方の保持器本体の各ポケットの周方向で対向する両側面にそれぞれ形成されたころ止め片と、他方の保持器本体の各ポケットの周方向で対向する両側面にそれぞれ形成されたころ止め片とで前記ころを保持し、前記各ポケットの両側面にそれぞれ形成されたころ止め片の保持器内径側に位置する部分と内径側以外に位置する部分とで折り曲げ角度を変えて該内径側に位置する部分の周方向の張り出し量を該内径側以外に位置する部分の周方向の張り出し量より小さくし、且つ内径側に位置する部分はそれぞれ外径寄りから内径寄りに至るに従い折り曲げ角度を変化させて周方向の張り出し量を次第に小さくするようにしたものである。
【０００９】
前記ころ止め片の保持器内径側に位置する部分において、保持器内径寄りにいくに従いころ止め片の折り曲げ角度を増大させ、前記ころの端面側外周面に対して非接触部分を形成したものである。
また、前記各ポケットの両側面に振分けられたころ止め片はそれぞれ周方向に複数に分割され、内径側に位置する分割ころ止め片の周方向の出っ張り量を内径側以外に位置する分割ころ止め片の周方向の出っ張り量より小さくし、且つ内径側に位置する分割ころ止め片はそれぞれ外径側寄りから内径側寄りに至るに従い周方向の張り出し量を次第に小さくするようしたものである。
さらに、前記分割ころ止め片の保持器内径寄り箇所が折り曲げ角度が急激に大きく変化させられ、前記ころの端面側外周面に対して非接触部分となる。
前記ころ止め片又は前記分割ころ止め片の非接触部分は、前記ポケットの周方向全長の５０％以下としている。
【発明の効果】
【００１０】
本発明は以上説明したとおり、軸方向に離隔して配置される軌道面間に、転動自在に配置される複数個のころを、円周方向等配位置に保持するためのスラストころ軸受用保持器であって、環状かつ平板状の保持器本体の円周方向等配部位に、前記ころを装着するための複数のポケットを形成し、これら各ポケットの周方向で対向する両側面に、前記ころの外周面に接触してころの抜け止めをする複数のころ止め片を一体的に形成し、これらころ止め片は、前記ころの一方側半周面上および他方側半周面上に接触可能となるように前記各ポケットの両側面に振分けられ、前記各ポケットの両側面に振分けられたころ止め片の保持器内径側に位置する部分と内径側以外に位置する部分とで折り曲げ角度を変えて該内径側に位置する部分のころ止め片の周方向の張り出し量を該内径側以外に位置する部分のころ止め片の周方向の張り出し量より小さくし、且つ内径側に位置する部分はそれぞれ外径寄りから内径寄りに至るに従い折り曲げ角度を変化させてころ止め片の周方向の張り出し量を次第に小さくするようにしたので、従来と各ポケットの径方向における相互の間隔が同じであっても、その間隔における径方向最内径部の柱幅寸法Ｈはころ止め片の内径側に位置する部分の周方向の張り出し量が内径側以外に位置するころ止め片の部分の周方向の張り出し量より小さくなった分だけ小さくすることができ、各ポケットの径方向における相互の間隔を狭めることにより、ポケットの数を増やすことができ、ポケットの数が増えた分だけ針状ころの本数をアップすることができ、定格荷重を増大させることができる。
【００１１】
また、軸方向に離隔して配置される軌道面間に、転動自在に配置される複数個のころを、円周方向等配位置に保持するためのスラストころ軸受用保持器であって、環状かつ平板状の二枚の保持器本体を掌合接続し、各保持器本体の円周方向等配部位に、前記ころを装着するための複数のポケットをそれぞれ形成し、これら各ポケットの周方向で対向する両側面にそれぞれ、前記ころの周面に接触してころの抜け止めをするころ止め片を一体的に外方に折り曲げて形成し、一方の保持器本体の各ポケットの周方向で対向する両側面にそれぞれ形成されたころ止め片と、他方の保持器本体の各ポケットの周方向で対向する両側面にそれぞれ形成されたころ止め片とで前記ころを保持し、前記各ポケットの両側面にそれぞれ形成されたころ止め片の保持器内径側に位置する部分と内径側以外に位置する部分とで折り曲げ角度を変えて該内径側に位置する部分の周方向の張り出し量を該内径側以外に位置する部分の周方向の張り出し量より小さくし、且つ内径側に位置する部分はそれぞれ外径寄りから内径寄りに至るに従い折り曲げ角度を変化させて周方向の張り出し量を次第に小さくするようにしたものも、従来と各ポケットの径方向における相互の間隔が同じであっても、その間隔における径方向最内径部の柱幅寸法Ｈはころ止め片の内径側に位置する部分の周方向の張り出し量が内径側以外に位置するころ止め片の部分の周方向の張り出し量より小さくなった分だけ小さくすることができ、各ポケットの径方向における相互の間隔を狭めることにより、ポケットの数を増やすことができ、ポケットの数が増えた分だけ針状ころの本数をアップすることができ、定格荷重を増大させることができる。
【００１２】
また、前記各ポケットの両側面に振分けられたころ止め片はそれぞれ周方向に複数に分割され、内径側に位置する分割ころ止め片の周方向の出っ張り量を内径側以外に位置する分割ころ止め片の周方向の出っ張り量より小さくし、且つ内径側に位置する分割ころ止め片はそれぞれ外径側寄りから内径側寄りに至るに従い周方向の張り出し量を次第に小さくするようしたものについても、同様に各ポケットの径方向における相互の間隔を狭めることにより、ポケットの数を増やすことができ、ポケットの数が増えた分だけ針状ころの本数をアップすることができ、定格荷重を増大させることができる。
さらに、ころ止め片の保持器内径側に位置する部分において、保持器内径寄りにいくに従いころ止め片の折り曲げ角度を増大させ、前記ころの端面側外周面に対して非接触部分を形成したものや、分割ころ止め片の保持器内径寄り箇所が折り曲げ角度が急激に大きく変化させられ、ころの端面外周面に対して非接触部分となったものも、その非接触部分は針状ころの端面外周面に対してだけであるため、各ポケットからの針状ころの脱落が起こりにくいものとなっている。
また、その非接触部分はポケットの周方向全長の５０％以下とすれば、各ポケットからの針状ころの脱落が防止される。
【発明を実施するための最良の形態】
【００１３】
実施の形態１.
図１は本発明の実施の形態１のスラストころ軸受用保持器を有するスラスト針状ころ軸受の全体構成を示す断面図、図２は同スラストころ軸受用保持器を示す斜視図、図３は同スラストころ軸受用保持器の一部を拡大した断面図、図４は同スラストころ軸受用保持器の一部を拡大した斜視図、図５の（ａ）は図４のI-I 線断面図、（ｂ）は図４のII-II 線断面図、（ｃ）は図４のIII-III 線断面図、図６の（ａ）は同スラストころ軸受用保持器の一部を横から見た状態を示す説明図、（ｂ）は同スラストころ軸受用保持器の一部を上から見た状態を示す説明図、図７は同スラストころ軸受用保持器のポケットを打抜いた状態を示す平面図、図８の（ａ）は別のスラストころ軸受用保持器の一部を横から見た状態を示す説明図、（ｂ）は別のスラストころ軸受用保持器の一部を上から見た状態を示す説明図、図９はスラストころ軸受用保持器の径方向内径部の柱幅寸法の変化を示す説明図である。
【００１４】
図１〜図７に示すように、本発明の実施の形態１に係る針状ころ軸受１は、軸心方向に離隔して対向配置される環状の軌道輪（軌道盤）２、３と、これら両軌道輪２、３間に転動自在に配置される複数個の針状ころ４と、これら針状ころ４を円周方向等配位置に保持するための金属製のころ軸受用保持器５とを有する。
【００１５】
両軌道輪２、３の対向面に、それぞれ針状ころ４の軌道面が形成されている。なお、軌道輪２、３は不図示の回転軸に取り付けられる回転輪と、ハウジングに取り付けられる固定輪とからなる。
ころ軸受用保持器５は、環状かつ平板状に形成された保持器本体６と、この保持器本体６の円周等配部位に開口された複数のころ保持用ポケット（以下単にポケットという）７とを備える。その保持器本体６の中心穴の形は、両軌道輪の中心穴の形よりも僅かに大きく形成されている。
そして、各ポケット７のそれぞれに、針状ころ４が装着されている。これら各ポケット７の径方向長さは、針状ころ４の長さに比べてわずかに長く形成されている。
【００１６】
各ポケット７の、周方向で対向する両側面に、針状ころ４の周面に接触して針状ころ４の抜止めをする複数のころ止め片１１、１２が一体的に形成されている。これらころ止め片８は、図３に示すように、針状ころ４の一方側半周面９上および他方側半周面１０上にそれぞれ接触可能となるよう、各ポケット７の両側面に振り分けられている。
【００１７】
即ち、図２〜図７に示すように、各ポケット７の両側面のうち、針状ころ４の転動方向の一方Ａには、その径方向両側部位にそれぞれ、針状ころ４の一方側半周面（例えば上側半周面）９上に接触可能な第１ころ止め片１１が、保持器本体６の厚み方向（軸心方向）に沿うように、保持器本体６に対して一体的に上方に折り曲げて形成されている。
これら第１ころ止め片１１の間に、針状ころ４の他方側半周面（例えば下側半周面）１０上に接触可能な第２ころ止め片１２が、保持器本体６に対して一体的に下方に折り曲げて形成されている。
【００１８】
また、各ポケット７の両側面のうち、針状ころ４の転動方向の他方Ｂには、一方Ａと反対に、その径方向両側部位にそれぞれ、針状ころ４の他方側半周面（例えば下側半周面）９上に接触可能な第２ころ止め片１２が、保持器本体６の厚み方向（軸心方向）に沿うように、保持器本体６に対して一体的に下方に折り曲げて形成されている。
これら第２ころ止め片１２の間に、針状ころ４の一方側半周面（例えば上側半周面）１０上に接触可能な第１ころ止め片１１が、保持器本体６に対して一体的に上方に折り曲げて形成されている。
【００１９】
各ポケット７の両側面に位置する６つの第１ころ止め片１１及び第２ころ止め片１２のうち、一方の側面の径方向両側部位で内径側に位置する第１ころ止め片１１及び他方の側面の径方向両側部位で内径側に位置する第２ころ止め片１２（以下、「内径側に位置する第１ころ止め片１１及び第２ころ止め片１２」と称する）は、内径側以外に位置する第１ころ止め片１１及び第２ころ止め片１２と折り曲げ角度を変えることにより、内径側に位置する第１ころ止め片１１及び第２ころ止め片１２の周方向の張り出し量は内径側以外に位置する第１ころ止め片１１及び第２ころ止め片１２の周方向の張り出し量より小さく設定されている。
さらに、内径側に位置する第１ころ止め片１１及び第２ころ止め片１２は、それぞれ外径寄りの途中（図６に示すＢの箇所）から内径寄りに至るに従い次第に折り曲げ角度が大きくなるように変化させて周方向の張り出し量が次第に小さくなるようにしている。
【００２０】
図５は内径側に位置する例えば、第１ころ止め片１１が具体的に折り曲げ角度が変化している状態を示し、外径寄りの折り曲げ角度をα、中間の折り曲げ角度をβ、内径寄りの折り曲げ角度をγとすると、α＜β＜γの関係にあり、外径寄りの途中から内径寄りに至るに従い折り曲げ角度が次第に大きくなっていることが分かる。なお、内径部に位置する第２ころ止め片１２も第１ころ止め片１１と同様である。
【００２１】
このように、内径側に位置する第１ころ止め片１１及び第２ころ止め片１２は、それぞれ外径寄りの途中から内径寄りに至るに従い次第に折り曲げ角度が大きくなるように変化させているのは、図６に示すように、針状ころ４が第１ころ止め片１１及び第２ころ止め片１２の全長に渡り接触するようにして針状ころ４の防止して安定性を保つようにしたものである。
また、このように周方向の張り出し量を次第に小さくするようにした内径側に位置する第１ころ止め片１１及び第２ころ止め片１２の径方向の長さＡは、図６の（ｂ）に示すようにポケット７の長手方向の長さＬの略１／３としている。
【００２２】
上記構成のころ軸受用保持器５は、一枚の金属板から形成されるもので、各ポケット７を、保持器本体６の周方向等配位置、かつ径方向所定位置に打ち抜くにことにより形成される。
このとき、図７に示すように、各ポケット７の両側面に、第１ころ止め片１１及び第２ころ止め片１２の相当部分１１ａ、１２ａを残すように加工する。その後、第１ころ止め片１１及び第２ころ止め片１２の相当部分１１ａ、１２ａを、それぞれ所定の傾斜を有するように各ポケット７の両側面から軸心方向に沿う方向に向けて起こす。
そして、各ポケット７に対して針状ころ４を、保持器本体６の厚み方向一方或いは他方側から、第１ころ止め片１１或いは第２ころ止め片１２の弾性に抗して嵌め込む。そして、各ポケット７に嵌め込まれた針状ころ４は、第１ころ止め片１１及び第２ころ止め片１２によって保持器５から、その厚み方向に脱落するのが防止される。
【００２３】
この場合、周方向の張り出し量を次第に小さくするようにした内径側に位置する第１ころ止め片１１及び第２ころ止め片１２の径方向の長さＡは、ポケット７の長手方向の長さＬの略１／３（３０％）としているので、保持器５の各ポケット７からの針状ころ４の脱落が防止される。
【００２４】
図８は別のスラストころ軸受用保持器の一部を横及び上から見た状態を示し、針状ころ４が途中から非接触になる例である。
この針状ころ４が途中から非接触になる例は、内径側に位置する第１ころ止め片１１及び第２ころ止め片１２は、それぞれ外径寄りの途中から内径寄りに至るに従い折り曲げ角度が大きくなるように変化させている点では図６と同じであるが、外径寄りの途中（図８に示すＢの箇所）から内径寄りに至るに従い折り曲げ角度が急激に大きくなっている点で相違する。
【００２５】
このように、内径側に位置する第１ころ止め片１１及び第２ころ止め片１２がその内径寄りで折り曲げ角度が急激に大きくなると、その内径寄りでは針状ころ４が第１ころ止め片１１及び第２ころ止め片１２に対して非接触になる。このように、針状ころ４が第１ころ止め片１１及び第２ころ止め片１２に対して非接触になる部分があっても、ころ軸受用保持器５の各ポケット７からの針状ころ４の脱落は生じない。
なお、針状ころ４が非接触となる内径側に位置する第１ころ止め片１１及び第２ころ止め片１２の曲げ角度が急激に大きくなる内径寄り部分の長さ（図８に示すＣの箇所）は、ポケット７の窓全長の５０％を超えないことが必要である。５０％を超えると、ころ傾き量が大きくなり、保持器５の各ポケット７からの針状ころ４の脱落が起こることとなるからである。
【００２６】
また、上述の如く、ころ軸受用保持器５に針状ころ４を装着した部品を、内輪及び外輪に挟んで使用する。そして、軌道輪のうち内輪が軸心回りに回転すると、内輪の回転方向に応じて針状ころ４の一方側半周面９上に第１ころ止め片１１が接触し、他方側半周面１０上に第２ころ止め片１２が接触して、針状ころ４を周方向、すなわち転動方向に案内し、針状ころ４は軌道面を転動する。
【００２７】
このように本実施の形態１によれば、ころ軸受用保持器５の保持器本体６に設けられた各ポケット７の両側面にそれぞれ形成された第１ころ止め片１１及び第２ころ止め片１２のうち、内径側に位置する第１ころ止め片１１及び第２ころ止め片１２は、図４に示すように、内径側以外に位置する第１ころ止め片１１及び第２ころ止め片１２と折り曲げ角度を変えることにより、内径側に位置する第１ころ止め片１１及び第２ころ止め片１２の周方向の張り出し量を内径側以外に位置する第１ころ止め片１１及び第２ころ止め片１２の周方向の張り出し量より小さくし、且つ内径側に位置する第１ころ止め片１１及び第２ころ止め片１２はそれぞれ外径寄りから内径寄りに至るに従い次第に折り曲げ角度を変化させて周方向の張り出し量を次第に小さくするようにしているので、従来と各ポケットの径方向における相互の間隔が同じであっても、図９に示すように、その間隔における径方向最内径部の柱幅寸法Ｈは内径側に位置する第１ころ止め片１１及び第２ころ止め片１２の周方向の張り出し量が内径側以外に位置する第１ころ止め片１１及び第２ころ止め片１２の周方向の張り出し量より小さくなった分だけ小さくすることができ、各ポケット７の径方向における相互の間隔を狭めることにより、ポケット７の数を増やすことができ、ポケット７の数が増えた分だけ針状ころ４の本数をアップすることができ、定格荷重を増大させることができる。
【００２８】
また、内径側に位置する第１ころ止め片１１及び第２ころ止め片１２はそれぞれ外径寄りから内径寄りに至るに従い次第に折り曲げ角度を急激に変化させて周方向の張り出し量を急激に小さくするようにしているので、第１ころ止め片１１及び第２ころ止め片１２がそれぞれ針状ころ４に対して非接触部を有するものとなっても、その非接触部は針状ころ４の端面側外周面だけであるため、各ポケットからの針状ころ４の脱落が起こりにくいものとしている。
【００２９】
さらに、図１〜６に示すころ軸受用保持器５や図９に示すころ軸受用保持器５はいずれも各ポケット７を形成する際に残した第１ころ止め片１１及び第２ころ止め片１２の相当部分１１ａ、１２ａを折り曲げるだけで、第１ころ止め片１１及び第２ころ止め片１２を形成することができるので、保持器５の製造を容易に行い得る。
加えて、従来の断面略Ｍ字形に成るような難しいプレス加工を省略して、単なる平板状の保持器本体６に打ち抜き加工により各ポケット７を形成するので、各ポケット７を形成する径方向位置の自由度が増す。
【００３０】
実施の形態２．
図１０は本発明の実施の形態２のスラストころ軸受用保持器の一部を拡大した斜視図、図１１の（ａ）は図１０のI-I 線断面図、（ｂ）は図１０のII-II 線断面図、（ｃ）は図４のIII-III 線断面図である。
この実施の形態２では、図１０に示すように、各ポケット７の両側面のうち、針状ころ４の転動方向の一方には、その径方向両側部位にそれぞれ、針状ころ４の他方側半周面（例えば下側半周面）９上に接触可能な第２ころ止め片１２が、保持器本体６の厚み方向（軸心方向）に沿うように、保持器本体６に対して一体的に下方に折り曲げて形成されている。
これら第２ころ止め片１２の間に、針状ころ４の一方側半周面（例えば上側半周面）９上に接触可能な第１ころ止め片１１が、保持器本体６に対して一体的に上方に折り曲げて形成されている。
【００３１】
また、各ポケット７の両側面のうち、針状ころ４の転動方向の他方には、一方と同様に、その径方向両側部位にそれぞれ、針状ころ４の他方側半周面（例えば下側半周面）９上に接触可能な第２ころ止め片１２が、保持器本体６の厚み方向（軸心方向）に沿うように、保持器本体６に対して一体的に下方に折り曲げて形成されている。
これら第２ころ止め片１２の間に、針状ころ４の一方側半周面（例えば上側半周面）９上に接触可能な第１ころ止め片１１が、保持器本体６に対して一体的に上方に折り曲げて形成されている。
【００３２】
各ポケット７の両側面それぞれ形成された６つの第１ころ止め片１１及び第２ころ止め片１２のうち、内径側に位置する２つの第２ころ止め片１２は、内径側以外に位置する第１ころ止め片１１及び第２ころ止め片１２と折り曲げ角度を変えることにより、内径側に位置する２つの第２ころ止め片１２の周方向の張り出し量を内径側以外に位置する第１ころ止め片１１及び第２ころ止め片１２の周方向の張り出し量より小さくしている。
さらに、内径側に位置する２つの第２ころ止め片１２は、それぞれ外径部の途中から内径部に至るに従い次第に折り曲げ角度が大きくなるように変化させて周方向の張り出し量を次第に小さくするようにしている。
【００３３】
図１１は内径側に位置する第２ころ止め片１２が具体的に折り曲げ角度が変化している状態を示し、外径寄りの折り曲げ角度をα、中間の折り曲げ角度をβ、内径寄りの折り曲げ角度をγとすると、α＜β＜γの関係にあり、外径寄りの途中から内径寄りに至るに従い折り曲げ角度が次第に大きくなっていることが分かる。
このように、内径側に位置する第２ころ止め片１２は、それぞれ外径寄りの途中から内径寄りに至るに従い次第に折り曲げ角度が大きくなるように変化させているのは、実施の形態１と同様に、針状ころ４が第１ころ止め片１１及び第２ころ止め片１２の全長に渡り接触するようにして針状ころ４の脱落を防止して安定性を保つようにしたものである。
また、このように周方向の張り出し量を次第に小さくするようにした内径側に位置する第２ころ止め片１２の径方向の長さは、ポケット７の長手方向の長さの略１／３としている。
【００３４】
また、この実施の形態２のころ軸受用保持器５についても、実施の形態１と同様に、針状ころ４が途中から非接触になる例のものもある。
この例は、内径側に位置する第２ころ止め片１２は、それぞれ外径寄りの途中から内径寄りに至るに従い折り曲げ角度が大きくなるように変化させている点では図６と同じであるが、外径寄りの途中（図８に示すＢの箇所）から内径寄りに至るに従い折り曲げ角度が急激に大きくし、その内径寄りでは針状ころ４が非接触になるものである。
このように折り曲げ角度が急激に大きくなり、針状ころ４が非接触になる内径側に位置する第２ころ止め片１２の内径寄りの長さは、ポケット７の窓全長の５０％を超えないことが必要である。５０％を超えると、ころ傾き量が大きくなり、保持器５の各ポケット７からの針状ころ４の脱落が起こることとなるからである。
【００３５】
上記実施の形態２は、ころ軸受用保持器５の保持器本体６に設けられた各ポケット７の両側面にそれぞれ形成された６つの第１ころ止め片１１及び第２ころ止め片のうち、内径側に位置する２つの第２ころ止め片１２は、内径側以外に位置する第１ころ止め片１１及び第２ころ止め片１２と折り曲げ角度を変えることにより、内径側に位置する２つの第２ころ止め片１２の周方向の出っ張り量を内径側以外に位置する第１ころ止め片１１及び第２ころ止め片１２の周方向の出っ張り量より小さくし、且つ内径側に位置する２つの第２ころ止め片１２はそれぞれ外径寄りから内径寄りに至るに従い次第に折り曲げ角度を変化させて周方向の出っ張り量を次第に小さくするようにしているので、従来と各ポケットの径方向における相互の間隔が同じであっても、その間隔に置ける径方向最内径部の柱幅寸法は内径側に位置する２つの第２ころ止め片１２の周方向の出っ張り量をが内径側以外に位置する第１ころ止め片１１及び第２ころ止め片１２の周方向の出っ張り量より小さくなった分だけ小さくすることができ、各ポケット７の径方向における相互の間隔を狭めることにより、ポケット７の数を増やすことができ、ポケット７の数が増えた分だけ針状ころ４の本数をアップすることができ、定格荷重を増大させることができる。
【００３６】
また、内径側に位置する第２ころ止め片１２はそれぞれ外径寄りから内径寄りに至るに従い次第に折り曲げ角度を急激に変化させて周方向の張り出し量を急激に小さくするようにしているので、第２ころ止め片１２がそれぞれ針状ころ４に対して非接触部を有するものとなっても、その非接触部は針状ころ４の両端だけであるため、各ポケットからの針状ころ４の脱落が起こりにくいものとしている。
【００３７】
さらに、この実施の形態２のころ軸受用保持器５も、各ポケット７を形成する際に残した第１ころ止め片１１及び第２ころ止め片１２の相当部分を折り曲げるだけで、第１ころ止め片１１及び第２ころ止め片１２を形成することができるので、ころ軸受用保持器５の製造を容易に行い得る。
加えて、従来の断面略Ｍ字形に成るような難しいプレス加工を省略して、単なる平板状の保持器本体６に打ち抜き加工により各ポケット７を形成するので、各ポケット７を形成する径方向位置の自由度が増す。
【００３８】
実施の形態３．
図１２は本発明の実施の形態３のスラストころ軸受用保持器の一部を拡大した斜視図、図１３の（ａ）は図１０のI-I 線断面図、（ｂ）は図１０のII-II 線断面図、図１４は（ａ）は同スラストころ軸受用保持器の一部を横から見た状態を示す説明図、（ｂ）は同スラストころ軸受用保持器の一部を上から見た状態を示す説明図、図１５は（ａ）は別のスラストころ軸受用保持器の一部を横から見た状態を示す説明図、（ｂ）は別のスラストころ軸受用保持器の一部を上から見た状態を示す説明図である。
上記実施の形態１，２のころ軸受用保持器５は環状かつ平板状に形成された１枚の保持器本体６からなるのに対し、この実施の形態３のころ軸受用保持器５は環状かつ平板状に形成された２枚の保持器本体６からなるものである。
一方の保持器本体６と他方の保持器本体６は、その円周等配部位に開口された複数のポケット７をそれぞれ同じ位置に備える。
各ポケット７の周方向で対向する両側面にそれぞれ、ポケット中央側に突出され、かつ保持器本体６の外面側に折り曲げられて針状ころ４の抜止めをするころ止め片８が一体的に形成されている。
【００３９】
そして、いずれの保持器本体６についても、各ポケット７の両側面にそれぞれ形成された２つのころ止め片８の内径側の部分は、内径側以外の部分と折り曲げ角度を変えることにより、２つのころ止め片８の内径側の部分の周方向の張り出し量を内径側以外の部分に位置する周方向の張り出し量より小さくし、且つ内径側の部分はそれぞれ外径寄りから内径寄りに至るに従い次第に折り曲げ角度を変化させて周方向の張り出し量を次第に小さくするようにしている。
【００４０】
このように、各ポケット７の両側面に周方向の張り出し量を次第に小さくするようにした内径側に位置する部分を有するころ止め片８を備えた２枚の保持器本体６が掌合接続されることにより、図１３に示すように、２枚の保持器本体６の各ポケット７に形成された４個のころ止め片８の間に針状ころ４が抱持されている。
【００４１】
図１５は別のスラストころ軸受用保持器の一部を横及び上から見た状態を示し、針状ころ４が途中から非接触になる例である。
この例は、内径側に位置する４つのころ止め片８は、それぞれ外径寄りの途中から内径寄りに至るに従い次第に折り曲げ角度が大きくなるように変化させている点では図６と同じであるが、外径寄りの途中（図１５に示すＢの箇所）から内径寄りに至るに従い折り曲げ角度が急激に大きくなっている点で相違する。
【００４２】
このように、内径側に位置する４つのころ止め片８の外径寄りの途中から内径寄りに至るに従い折り曲げ角度が急激に大きくなると、その内径寄り部分では針状ころ４が非接触になる。このように折り曲げ角度が急激に大きくなり、針状ころ４が非接触になる内径側に位置する４つのころ止め片８の内径寄り部分（図１５に示すＣの箇所）は、ポケット７の窓全長の５０％を超えないことが必要である。５０％を超えると、ころ傾き量が大きくなり、保持器５の各ポケット７からの針状ころ４の脱落が起こることとなるからである。
【００４３】
このように本実施の形態３によれば、ころ軸受用保持器５は２枚の保持器本体６からなり、各保持器本体６に設けられた各ポケット７の両側面にそれぞれ形成された２つのころ止め片８の内径側の部分の周方向の張り出し量を内径側以外の部分に位置する周方向の張り出し量より小さくし、且つ内径側の部分はそれぞれ外径寄りから内径寄りに至るに従い次第に折り曲げ角度を変化させて周方向の張り出し量を次第に小さくするようにしているので、従来と各ポケットの径方向における相互の間隔が同じであっても、その間隔における径方向最内径部の柱幅寸法は内径側に位置する２つのころ止め片８の内径側の部分の周方向の張り出し量が内径側以外の部分に位置する周方向の張り出し量より小さくなった分だけ小さくすることができ、各ポケット７の径方向における相互の間隔を狭めることにより、ポケット７の数を増やすことができ、ポケット７の数が増えた分だけ針状ころ４の本数をアップすることができ、定格荷重を増大させることができる。
【００４４】
また、２つのころ止め片８の内径側の部分はそれぞれ外径寄りから内径寄りに至るに従い次第に折り曲げ角度を急激に変化させて周方向の張り出し量を急激に小さくするようにしているので、ころ止め片８がそれぞれ針状ころ４に対して非接触部を有するものとなっても、その非接触部は針状ころ４の端面側外周面だけであるため、各ポケットからの針状ころ４の脱落が起こりにくいものとしている。
【００４５】
さらに、この実施の形態３のころ軸受用保持器５を構成する２つの保持器本体６のそれぞれの各ポケット７を形成する際に残したころ止め片８の相当部分を折り曲げるだけで、ころ止め片８を形成することができるので、保持器５の製造を容易に行い得る。
加えて、従来の断面略Ｍ字形に成るような難しいプレス加工を省略して、単なる平板状の各保持器本体６に打ち抜き加工により各ポケット７を形成するので、各ポケット７を形成する径方向位置の自由度が増す。
【図面の簡単な説明】
【００４６】
【図１】本発明の実施の形態１のスラストころ軸受用保持器を有するスラスト針状ころ軸受の全体構成を示す断面図。
【図２】同スラストころ軸受用保持器を示す斜視図。
【図３】同スラストころ軸受用保持器の一部を拡大した断面図。
【図４】同スラストころ軸受用保持器の一部を拡大した斜視図。
【図５】（ａ）は図４のI-I 線断面図、（ｂ）は図４のII-II 線断面図、（ｃ）は図４のIII-III 線断面図。
【図６】（ａ）は同スラストころ軸受用保持器の一部を横から見た状態を示す説明図、（ｂ）は同スラストころ軸受用保持器の一部を上から見た状態を示す説明図。
【図７】同スラストころ軸受用保持器のポケットを打抜いた状態を示す平面図。
【図８】（ａ）は別のスラストころ軸受用保持器の一部を横から見た状態を示す説明図、（ｂ）は別のスラストころ軸受用保持器の一部を上から見た状態を示す説明図。
【図９】スラストころ軸受用保持器の径方向内径部の柱幅寸法の変化を示す説明図。
【図１０】本発明の実施の形態２のスラストころ軸受用保持器の一部を拡大した斜視図。
【図１１】（ａ）は図１０のI-I 線断面図、（ｂ）は図１０のII-II 線断面図、（ｃ）は図４のIII-III 線断面図。
【図１２】本発明の実施の形態３のスラストころ軸受用保持器の一部を拡大した斜視図。
【図１３】（ａ）は図１０のI-I 線断面図、（ｂ）は図１０のII-II 線断面図。
【図１４】（ａ）は同スラストころ軸受用保持器の一部を横から見た状態を示す説明図、（ｂ）は同スラストころ軸受用保持器の一部を上から見た状態を示す説明図。
【図１５】（ａ）は別のスラストころ軸受用保持器の一部を横から見た状態を示す説明図、（ｂ）は別のスラストころ軸受用保持器の一部を上から見た状態を示す説明図。
【符号の説明】
【００４７】
１  針状ころ軸受、４  針状ころ、５  ころ軸受用保持器、６  保持器本体、７  ポケット、８  ころ止め片、９  一方側半周面、１０  他方側半周面、１１  第１ころ止め片、１２  第２ころ止め片。
【図１】
2007071295.tif 000003
【図２】
2007071295.tif 000004
【図３】
2007071295.tif 000005
【図４】
2007071295.tif 000006
【図５】
2007071295.tif 000007
【図６】
2007071295.tif 000008
【図７】
2007071295.tif 000009
【図８】
2007071295.tif 000010
【図９】
2007071295.tif 000011
【図１０】
2007071295.tif 000012
【図１１】
2007071295.tif 000013
【図１２】
2007071295.tif 000014
【図１３】
2007071295.tif 000015
【図１４】
2007071295.tif 000016
【図１５】
2007071295.tif 000017